(57)【要約】【課題】床パンをサイズ変更して利用するときの自由度が高く、かつ床部の切断端部に取り付けられる部材の形状が複雑になり難い床パン、および床パンユニットを提供する。【解決手段】床パン１の床部２は、平面視矩形状である。床部２の４辺２１〜２４の各々に、壁パネルが載せられる壁置部４が形成される。床部２の第１辺２１側の端部に排水口２０が形成される。床部２は、床部２の第１辺２１側の端部を含む第１部分３１と、第２辺２２の全長と第３辺２３の全長とを含む切断可能な第２部分３２とを備える。第１部分３１の上面は、第１部分３１上の水が排水口２０に向かって流下するように傾斜し、かつ水平位置に応じて傾斜方向が変化する。第２部分３２の上面の全体は、第３辺２３から第１辺２１に向かって一方向に下り傾斜する。【選択図】図１
2017172241.tif 000002
【特許請求の範囲】
【請求項１】
平面視矩形状の床部と、
前記床部の４辺の各々に形成され、壁パネルが載せられる壁置部とを具備し、
前記床部は、前記４辺として、
第１辺と、
前記第１辺に垂直な第２辺と、
前記第１辺に対向した第３辺と、
前記第２辺に対向した第４辺とを備え、
前記床部の前記第１辺側の端部に排水口が形成され、
前記床部は、
前記床部の前記第１辺側の端部を含む第１部分と、
前記第２辺の全長と前記第３辺の全長とを含む切断可能な第２部分とを備え、
前記第１部分の上面は、前記第１部分上の水が前記排水口に向かって流下するように傾斜し、かつ水平位置に応じて傾斜方向が変化し、
前記第２部分の上面の全体は、前記第３辺から前記第１辺に向かって一方向に下り傾斜したことを特徴とする床パン。
【請求項２】
前記第２部分は、
前記第２部分の下面に形成された取付部を有し、
前記取付部は、前記壁パネルが載せられる壁載部材を取り付け可能に構成されたことを特徴とする請求項１に記載の床パン。
【請求項３】
前記取付部は、
前記第２部分において前記第２辺に対応する部分の下面に形成された第１取付部と、
前記第２部分において前記第３辺に対応する部分の下面に形成された第２取付部とのうちの少なくとも一方を有し、
前記第１取付部は、
前記第１辺の長さ方向に間隔を介して設けられた複数の第１突起を含み、
前記第２取付部は、
前記第２辺の長さ方向に間隔を介して設けられた複数の第２突起を含んだことを特徴とする請求項２に記載の床パン。
【請求項４】
平面視矩形状の床パンと、
前記床パンの４辺のうちの２辺にそれぞれ取り付けられ、壁パネルが載せられる２つの壁載部材とを具備し、
前記床パンは、
平面視矩形状の床部を具備し、
前記床部は、前記４辺として、
第１辺と、
前記第１辺に垂直な第２辺と、
前記第１辺に対向した第３辺と、
前記第２辺に対向した第４辺とを備え、
前記床部の前記第１辺側の端部に排水口が形成され、
前記床部は、
前記床部の前記第１辺側の端部を含む第１部分と、
前記第２辺の全長と前記第３辺の全長とを含む第２部分とを備え、
前記第１部分の上面は、前記第１部分上の水が前記排水口に向かって流下するように傾斜し、かつ水平位置に応じて傾斜方向が変化し、
前記第２部分の上面の全体は、前記第３辺から前記第１辺に向かって一方向に下り傾斜し
前記床パンは、
前記床部の前記第１辺および前記第４辺の各々に一体に形成され、壁パネルが載せられる壁置部をさらに具備し、
前記床部の前記第２辺を構成する端面の全体および前記床部の前記第３辺を構成する端面の全体の各々は、切断面であり、
前記２つの壁載部材は、前記床部の前記第２辺側の端部および前記第３辺側の端部にそれぞれ取り付けられたことを特徴とする床パンユニット。
【発明の詳細な説明】
【技術分野】
【０００１】
本発明は、床パン、および床パンユニットに関する。
【背景技術】
【０００２】
特許文献１には、ユニットバスルームに用いられる床パンが開示されている。この床パンは、平面視矩形状の床部と、床部の外周部に設けられた壁載置部とを備えている。載置部は、壁が載せられる部分であり、床部と一体に形成されている。
【０００３】
床部は、洗い場部と、浴槽設置部と、堰部とを備えている。洗い場部と浴槽設置部とは、床部の長さ方向に並んでいる。洗い場部の浴槽設置部側の端部は、浴槽設置部の洗い場部側の端部よりも低くなっている。洗い場部と浴槽設置部とは堰部を介して連なるように設けられている。洗い場部の上面は、浴槽設置部側に向かって下り傾斜している。浴槽設置部の上面は、洗い場部側に向かって下り傾斜している。
【０００４】
この床パンは、一回り小さな床パンとしても利用可能である。この場合、床部の外周部が切断され、この後、床部の切断端部に、後付け用の壁載置部として、ピース材が取り付けられる。これにより、切断される前の原型の床パンよりも、一回り小さな床パンが形成される。
【先行技術文献】
【特許文献】
【０００５】
【特許文献１】特開２０１４−１７３４０５号公報
【発明の概要】
【発明が解決しようとする課題】
【０００６】
前記床パンの切断端部に取り付けられるピース材は、ピース材が床パンに取り付けられたときの意匠性や防水性などを向上させるために、できるだけ床部の切断端部の形状に合った形状とすることが好ましい。
【０００７】
しかし、前記床パンは、洗い場部の上面と浴槽設置部の上面との間に段差がある。また、洗い場部の上面の傾斜方向と、浴槽設置部の上面の傾斜方向とが異なっている。このため、床パンが床部の長さ方向に切断されることで形成された、床部の切断端面の上縁は、床部の幅方向から見て一直線状にならない。したがって、ピース材を床部の当該切断端部に合った形状にすると、ピース材が複雑な形状になりやすい。
【０００８】
ところで、前記床パンの浴槽設置部の上面は、床部の幅方向においては勾配を有していない。このため、床パンが床部の幅方向に切断されることで形成された、床部の切断端面の上縁は一直線状になる。したがって、床パンの当該切断端部に取り付けられるピース材の形状は、複雑になり難い。
【０００９】
しかし、床パンが床部の幅方向にのみ切断されたときにだけ、ピース材の形状が複雑になり難いのでは、床パンをサイズ変更して利用するときの自由度が低くなりやすい。
【００１０】
本発明は前記事情に鑑みてなされたものであって、床パンをサイズ変更して利用するときの自由度が高く、かつ床部の切断端部に取り付けられる部材の形状が複雑になり難い床パン、および床パンユニットを提供することを目的とする。
【課題を解決するための手段】
【００１１】
前記目的を達成するために本発明に係る一態様の床パンは、平面視矩形状の床部と、前記床部の４辺の各々に形成され、壁パネルが載せられる壁置部とを具備する。前記床部は、前記４辺として、第１辺と、前記第１辺に垂直な第２辺と、前記第１辺に対向した第３辺と、前記第２辺に対向した第４辺とを備える。前記床部の前記第１辺側の端部に排水口が形成される。前記床部は、前記床部の前記第１辺側の端部を含む第１部分と、前記第２辺の全長と前記第３辺の全長とを含む切断可能な第２部分とを備える。前記第１部分の上面は、前記第１部分上の水が前記排水口に向かって流下するように傾斜し、かつ水平位置に応じて傾斜方向が変化する。前記第２部分の上面の全体は、前記第３辺から前記第１辺に向かって一方向に下り傾斜する。
【００１２】
また、本発明に係る一態様の床パンユニットは、平面視矩形状の床パンと、前記床パンの４辺のうちの２辺にそれぞれ取り付けられ、壁パネルが載せられる２つの壁載部材とを具備する。前記床パンは、平面視矩形状の床部を具備する。前記床部は、前記４辺として、第１辺と、前記第１辺に垂直な第２辺と、前記第１辺に対向した第３辺と、前記第２辺に対向した第４辺とを備える。前記床部の前記第１辺側の端部に排水口が形成される。前記床部は、前記床部の前記第１辺側の端部を含む第１部分と、前記第２辺の全長と前記第３辺の全長とを含む第２部分とを備える。前記第１部分の上面は、前記第１部分上の水が前記排水口に向かって流下するように傾斜し、かつ水平位置に応じて傾斜方向が変化する。前記第２部分の上面の全体は、前記第３辺から前記第１辺に向かって一方向に下り傾斜する。前記床パンは、前記床部の前記第１辺および前記第４辺の各々に一体に形成され、壁パネルが載せられる壁置部をさらに具備する。前記床部の前記第２辺を構成する端面の全体および前記床部の前記第３辺を構成する端面の全体の各々は、切断面である。前記２つの壁載部材は、前記床部の前記第２辺側の端部および前記第３辺側の端部にそれぞれ取り付けられる。
【発明の効果】
【００１３】
本発明に係る一態様の床パンおよび床パンユニットは、床パンをサイズ変更して利用するときの自由度が高く、かつ床部の切断端部に取り付けられる部材の形状が複雑になり難い。
【図面の簡単な説明】
【００１４】
【図１】図１は、本発明に係る一実施形態の床パンの平面図である。
【図２】図２は、同上の床パンと、設置面に設置された架台とを示した分解斜視図である。
【図３】図３は、同上の床パンを設置した状態を示した要部の断面図である。
【図４】図４は、同上の架台と、架台に設置された床パンとを下側から見たときの斜視図である。
【図５】図５は、同上の床パンの第一部分における４つの領域を２点鎖線で示した平面図である。
【図６】図６は、同上の床パンを具備した床パンユニットの第１壁載部材が設けられた部分の拡大断面図である。
【図７】図７は、同上の床パンユニットの第２壁載部材が設けられた部分の拡大断面図である。
【図８】図８Ａは、本発明に係る変形例１の床パンの平面図である。図８Ｂは、本発明に係る変形例２の床パンの平面図である。図８Ｃは、本発明に係る変形例３の床パンの平面図である。
【発明を実施するための形態】
【００１５】
以下に示す実施形態は、床パンおよび床パンユニットに関し、詳しくは、切断することによりサイズを変更して利用できる床パンと、この床パンを用いて製作された床パンユニットとに関する。
【００１６】
（概要）
図１に示す本実施形態の床パン１は、ユニットルームの床を構成する。ユニットルームは、平面視矩形状である。ユニットルームは、例えばシャワールーム（浴室）として利用される。ユニットルームには、例えばシャワー装置が設けられる。
【００１７】
図２に示すように、ユニットルームが設置される設置面９０には、架台５が設置される。設置面９０は、例えばコンクリート製の床下地の上面である。
【００１８】
床パン１は架台５の上に設置される。ユニットルームの四方の壁は、床パン１の外周縁部上に立てられる複数の壁パネル６（図３参照）で構成される。ユニットルームの天井は、複数の壁パネル６上に設置される天井パネル（図示せず）で構成される。
【００１９】
（架台）
架台５は、支持フレーム５０と、支持フレーム５０に設けられた複数の脚５１とを備えている。
【００２０】
支持フレーム５０は、平面視矩形枠状に形成されている。支持フレーム５０は金属製であり、支持フレーム５０の各辺は、例えば角パイプから形成される。
【００２１】
支持フレーム５０には、複数の脚連結部５２が設けられている。本実施形態では、支持フレーム５０の対向する２辺の各々に、複数の脚連結部５２が設けられている。複数の脚連結部５２の各々は、図３に示すように、支持フレーム５０の下面から下方に突出したアジャスターナットで構成されている。
【００２２】
複数の脚５１は、複数の脚連結部５２にそれぞれ取り付けられ、支持フレーム５０から下方に向かって突出している。複数の脚５１は、設置面９０に設置される。
【００２３】
複数の脚５１の各々は、アジャスターボルトで構成されている。各脚５１は、対応する脚連結部５２にねじ込まれて固定されている。
【００２４】
架台５を設置する作業者は、各脚５１の対応する脚連結部５２に対するねじ込み量を変更することで、支持フレーム５０の設置面９０に対する高さを変更でき、かつ支持フレーム５０の上面を水平にできる。本実施形態の架台５は、設置面９０に設置された状態において、支持フレーム５０の上面が水平である。
【００２５】
（床パン）
図１に示すように床パン１は平面視矩形状である。床パン１は合成樹脂から形成されており、注型成形や射出成形などによって形成される。
【００２６】
床パン１は、平面視矩形状の床部２と、床部２の４辺２１〜２４の各々に形成された壁置部４とを具備している。床部２は、全体が洗い場の床として利用される。各壁置部４は、壁パネル６が載せられる部分である。
【００２７】
（床部）
床部２は、床パン１の主体を構成する。平面視矩形状の床部２は、４辺２１〜２４として、第１辺２１と、第２辺２２と、第３辺２３と、第４辺２４とを備えている。第２辺２２は、第１辺２１に垂直な辺であり、第１辺２１に隣接している。第３辺２３は第１辺２１に対向した辺であり、第１辺２１と平行である。第４辺２４は、第２辺２２に対向した辺であり、第２辺２２と平行である。
【００２８】
本実施形態の床部２は、第１辺２１よりも第２辺２２が長い。すなわち、床部２の長さ方向Ｄ１は、第２辺２２の長さ方向と平行であり、床部２の幅方向Ｄ２は、第１辺２１の長さ方向と平行である。
【００２９】
床部２の第１辺２１側の端部において、床部２の第４辺２４側の端部には、排水口２０が形成されている。排水口２０は、平面視円形である。排水口２０は、床部２を上下方向に貫通している。図４に示すように床部２の下面には、排水口２０に通じる排水トラップ９６が取り付けられる。排水トラップ９６には、排水管９４が接続される。排水管９４は、図２に示すように床部２と設置面９０との間に配置される。床部２上の水は、排水口２０から排水トラップ９６を介して排水管９４に排出される。
【００３０】
図４に示すように、本実施形態の床部２は、床本体部２５とリブ２６とで構成されている。床本体部２５は、厚み方向が上下方向と平行な矩形板状である。床本体部２５の上面は、床部２の上面を構成している。床本体部２５の厚みは、床本体部２５の全体に亘って略同じである。
【００３１】
リブ２６は、床本体部２５から下方に向かって突出している。床部２はリブ２６によって補強されている。本実施形態のリブ２６は、格子状であり、床部２の下面において排水口２０に対応する部分を除く全体に亘るように形成されている。リブ２６は、複数の第１リブ２６１と、複数の第２リブ２６２とを有している。
【００３２】
複数の第１リブ２６１は、床部２の幅方向Ｄ２に間隔を空けて並んでいる。複数の第１リブ２６１の各々は、床部２の長さ方向Ｄ１に延びている。各第１リブ２６１は、排水口２０の第３辺２３側に位置する第１リブ２６１を除き、床部２の長さ方向Ｄ１の全長に亘っている。
【００３３】
複数の第２リブ２６２は、床部２の長さ方向Ｄ１に間隔を空けて並んでいる。複数の第２リブ２６２の各々は、床部２の幅方向Ｄ２に延びている。各第２リブ２６２は、排水口２０の第２辺２２側に位置する第２リブ２６２を除き、床部２の幅方向Ｄ２の全長に亘っている。複数の第１リブ２６１と、複数の第２リブ２６２とは交差している。
【００３４】
図１に示すように、床部２は、第１部分３１と、平面視で第１部分３１と異なる位置に存在する第２部分３２とを備えている。本実施形態の床部２は、第１部分３１と第２部分３２とで構成されており、第１部分３１は、床部２において第２部分３２を除いた部分の全体である。
【００３５】
（第１部分）
第１部分３１は、床部２の第１辺２１の一部と、床部２の第４辺２４の一部とを含む。第１部分３１は、平面視形状が床部２の長さ方向Ｄ１に延びた矩形状である。第１部分３１の第２辺２２側の端は、第４辺２４よりも第２辺２２に近い。第１部分３１の第３辺２３側の端は、第１辺２１よりも第３辺２３に近い。
【００３６】
本実施形態の排水口２０は、第１部分３１の第１辺２１側の端部に位置し、かつ第１部分３１の第４辺２４側の端部に位置している。すなわち、排水口２０は、平面視矩形状の床部２において、第１辺２１と第４辺２４とが交わる頂点を含む隅部に形成されている。
【００３７】
第１部分３１の上面は、全体が排水口２０に向かって下り傾斜している。なお、図１では床部２の各部における傾斜方向を矢印で示している。
【００３８】
第１部分３１の上面は、第１部分３１上の水が排水口２０に向かって流れるように、全体が三次元的に傾斜しており、水平位置に応じて傾斜方向が変化している。
【００３９】
図５に示すように、第１部分３１を、排水口２０の中心を中心にして、二点鎖線で示した４つの領域Ａ１〜Ａ４に区分したとき、各領域Ａ１〜Ａ４の上面は、以下のように傾斜している。
【００４０】
領域Ａ１は、第１部分３１において、排水口２０の中心よりも第１辺２１側に位置し、かつ排水口２０の中心よりも第２辺２２側に位置した領域である。領域Ａ１の上面は、第１辺２１に近い部分ほど第３辺２３に向かって下り傾斜する傾斜方向の成分を含む割合が大きく、かつ第２辺２２に近い部分ほど第４辺２４に向かって下り傾斜する傾斜方向の成分を含む割合が大きくなるように、傾斜方向が漸次変化している。
【００４１】
領域Ａ２は、第１部分３１において、排水口２０の中心よりも第２辺２２側に位置し、かつ排水口２０の中心よりも第３辺２３側に位置した領域である。領域Ａ２の上面は、第２辺２２に近い部分ほど第４辺２４に向かって下り傾斜する傾斜方向の成分の割合が大きく、かつ第３辺２３に近い部分ほど第１辺２１に向かって下り傾斜する傾斜方向の成分を含む割合が大きくなるように、傾斜方向が漸次変化している。
【００４２】
領域Ａ３は、第１部分３１において、排水口２０の中心よりも第３辺２３側に位置し、かつ排水口２０の中心よりも第４辺２４側に位置した領域である。領域Ａ３の上面は、第３辺２３に近い部分ほど第１辺２１に向かって下り傾斜する傾斜方向の成分の割合が大きく、かつ第４辺２４に近い部分ほど第２辺２２に向かって下り傾斜する傾斜方向の成分を含む割合が大きくなるように、傾斜方向が漸次変化している。
【００４３】
領域Ａ４は、第１部分３１において、排水口２０の中心よりも第１辺２１側に位置し、かつ排水口２０の中心よりも第４辺２４側に位置した領域である。領域Ａ４の上面は、第１辺２１に近い部分ほど第３辺２３に向かって下り傾斜する傾斜方向の成分の割合が大きく、かつ第４辺２４に近い部分ほど第２辺２２に向かって下り傾斜する傾斜方向の成分を含む割合が大きくなるように、傾斜方向が漸次変化している。
【００４４】
図４に示すように、床部２の下面に形成されたリブ２６は、第１部分３１に対応する部分の下端部が、第２部分３２に対応する部分よりも下方に突出している。すなわち、リブ２６は、第１部分３１に対応する部分の下端面が、第２部分３２に対応する部分の下端面よりも下方に位置している。リブ２６の下端面は、リブ２６の略全体に亘って水平である。
【００４５】
（第２部分）
図１に示す第２部分３２は、第２辺２２の全体と第３辺２３の全体とを含む。すなわち、第２部分３２は、床部２において、第２辺２２の全長と第３辺２３の全長とに亘るように連続して形成されている。
【００４６】
第２部分３２は、平面視Ｌ字状である。第２部分３２は、床パン１のサイズを変更するときに、切断される部分である。第２部分３２は、例えば図１に示すように、第２辺２２および第３辺２３に沿って、切断される。図１では、第２辺２２に沿った切断ラインと、第３辺２３に沿った切断ラインとの各々を二点鎖線で示している。なお、床パン１は、第２部分３２において床部２の長さ方向Ｄ１にのみ切断されてもよいし、第２部分３２において床部２の幅方向Ｄ２にのみ切断されてもよい。また、第２部分３２における切断ラインの位置は、図１に示す位置に限られない。
【００４７】
第２部分３２は、平面視で、第１辺２１の第２辺２２側の端部と、第２辺２２の全体と、第３辺２３の全体と、第４辺２４の第３辺２３側の端部と、第１部分３１の第２辺２２側の端と、第１部分３１の第３辺２３側の端とで囲まれた部分である。
【００４８】
第２部分３２の上面は、全体が第３辺２３から第１辺２１に向かって一方向に下り傾斜しており、第２部分３２の上面の水平面に対する傾斜角度は、第２部分３２の上面の全体に亘って同じである。なお、第２部分３２の上面は、床部２の幅方向Ｄ２においては傾斜していない。
【００４９】
上述のように、第２部分３２の上面が第３辺２３から第１辺２１に向かって一方向に下り傾斜しているため、第２部分３２上の水は、第１辺２１に向かって流下しやすい。また、床パン１が、第２部分３２において第２辺２２に沿って切断されたときには、この切断面（すなわち、床部２の第４辺２４とは反対側の端面）の上縁は、第３辺２３から第１辺２１に向かって下り傾斜した一直線状となる。また、床パン１が第２部分３２において第３辺２３に沿って切断されたときには、この切断面（すなわち、床部２の第１辺２１とは反対側の端面）の上縁は、水平な一直線状となる。
【００５０】
（壁置部）
床部２の第１〜第４辺２１〜２４の各々に形成された壁置部４は、図３に示すように、上方に開口した断面Ｕ字状に形成されている。各壁置部４は、第１縦片部４１と、横片部４２と、第２縦片部４３とを有している。
【００５１】
第１縦片部４１は、床部２の浴室外側の端部から下方に向かって突出している。横片部４２は、第１縦片部４１の下端部から水平面に沿って浴室外側に突出している。各壁置部４の横片部４２の下面は水平であり、全ての壁置部４は、横片部４２の下面が同じ高さに位置する。
【００５２】
第２縦片部４３は、横片部４２の浴室外側の端部から上方に向かって突出している。第２縦片部４３は、第１縦片部４１に対向している。第２縦片部４３の上端は、床部２の上面よりも下方に位置している。
【００５３】
各壁置部４には、上方に開口した溝部４６が形成されている。溝部４６は、第１縦片部４１と、横片部４２と、第２縦片部４３とで構成されている。
【００５４】
各壁置部４の横片部４２は、図３に示すように、支持フレーム５０の上面に載せられる。各壁置部４の横片部４２には、複数の皿穴４４が形成されている。
【００５５】
支持フレーム５０に載せられた各壁置部４の横片部４２は、複数の固着具９３により支持フレーム５０に取り付けられる。本実施形態の複数の固着具９３の各々は、ねじであり、詳しくは皿頭ねじである。支持フレーム５０に載せられた各壁置部４の横片部４２には、複数の皿穴４４を通して複数の固着具９３が上方から挿通される。各壁置部４の横片部４２に上下に挿通された複数の固着具９３は、支持フレーム５０にねじ込まれる。これにより、床パン１は架台５に取り付けられる。
【００５６】
（壁パネル）
ユニットルームの四方の壁を構成する複数の壁パネル６の各々は、表面板６０と、断熱材６１とを備えている。表面板６０は、浴室の壁面を構成する表面部６２と、表面部６２の下縁部から水平面に沿って浴室外側に突出した縁片部６３と、縁片部６３の表面部６２とは反対側の端部から上方に向かって突出した起立片部６４とを有している。断熱材６１は、表面部６２の裏面（浴室外側の面）に貼り付けられている。
【００５７】
各壁パネル６の下端部（表面板６０の下端部）は、対応する壁置部４の溝部４６に嵌め込まれる。各壁パネル６の縁片部６３は、パッキン６５を介して対応する横片部４２に載せられる。
【００５８】
各壁パネル６の起立片部６４には、掛止具６６が取り付けられる。各壁パネル６に取り付けられた掛止具６６は、対応する壁置部４の第２縦片部４３に引っ掛けられて支持される。各壁パネル６の表面部６２と床部２の上面とで成す隅部には、表面部６２と、床部２との間を封止するシーリング材９５が充填される。
【００５９】
（床パンユニット）
ところで、様々なサイズのユニットルームを製作するには、ユニットルーム毎にサイズの異なる床パンを製造する必要があり、サイズの異なる床パンを樹脂成形する場合、サイズ毎に異なる金型が必要になる。しかし、本実施形態の床パン１は、切断することで、様々なサイズの床として利用できる。
【００６０】
図１に示す床パン１のサイズを変更する場合、作業者は床パン１を第２部分３２において切断し、この後、床パン１の切断端部に壁載部材８１，８２（図６および図７参照）を取り付ける。これにより、床パン１と壁載部材８１，８２とを具備する床パンユニット７が製作される。
【００６１】
以下では、図１に示すように、第２部分３２を第２辺２２に沿って切断し、かつ第２部分３２を第３辺２３に沿って切断する場合について説明する。すなわち、この場合、床パン１の第４辺２４とは反対側の切断端部と、第１辺２１とは反対側の切断端部との各々に壁載部材８１，８２が取り付けられる。
【００６２】
図４に示すように、床パン１の第２部分３２は、第２部分３２の下面に形成された取付部３３を有している。取付部３３は、床パン１が第２部分３２において切断されたときに、壁載部材８１，８２が取り付けられる部分である。各壁載部材８１，８２は、上述した床パン１の切断により失われた壁置部４（図１参照）に代わる部材であり、図６および図７に示すように、各壁載部材８１，８２には壁パネル６が載せられる。
【００６３】
図４に示す床部２の第２部分３２は、形成領域３２１と、形成領域３２２とを有している。形成領域３２１は、床部２の第２辺２２側の端部であり、第２辺２２に対応する部分である。形成領域３２２は、床部２の第３辺２３側の端部であり、第３辺２３に対応する部分である。
【００６４】
形成領域３２１は、床部２の長さ方向Ｄ１の全長に亘っており、形成領域３２２は、床部２の幅方向Ｄ２の全長に亘っている。形成領域３２１の第３辺２３側の端部領域と、形成領域３２２の第２辺２２側の端部領域は重複している。
【００６５】
本実施形態の取付部３３は、床パン１の形成領域３２１の下面に形成された第１取付部３３１と、床パン１の形成領域３２２の下面に形成された第２取付部３３２とを有している。
【００６６】
本実施形態の第１取付部３３１は、形成領域３２１の下面に形成された複数の第１突起３３１０を有している。複数の第１突起３３１０は、形成領域３２１において、複数の第１リブ２６１と複数の第２リブ２６２との交差部分にそれぞれ形成されている。
【００６７】
具体的に第１取付部３３１は、床部２の長さ方向Ｄ１に間隔を空けて並んだ複数の第１突起列３３１１を有しており、複数の第１突起列３３１１の各々は、床部２の幅方向Ｄ２に並んだ複数の第１突起３３１０で構成されている。本実施形態の第１突起列３３１１は、形成領域３２１において、形成領域３２２と重複する部分と重複しない部分との各々に形成されている。
【００６８】
第１取付部３３１を構成する複数の第１突起３３１０の各々は、下方に開口した円筒状のボスである。各第１突起３３１０の内周面には、雌ねじが形成されている。形成領域３２１に形成された全ての第１突起３３１０の下面は、同じ高さに位置しており、水平である。
【００６９】
本実施形態の第２取付部３３２は、形成領域３２２の下面に形成された複数の第２突起３３２０を有している。複数の第２突起３３２０は、形成領域３２２において、複数の第１リブ２６１と複数の第２リブ２６２との交差部分にそれぞれ形成されている。
【００７０】
具体的に第２取付部３３２は、床部２の幅方向Ｄ２に間隔を空けて並んだ複数の第２突起列３３２１を有しており、複数の第２突起列３３２１の各々は、床部２の長さ方向Ｄ１に並んだ複数の第２突起３３２０で構成されている。本実施形態の第２突起列３３２１は、形成領域３２２において、形成領域３２１と重複する部分と重複しない部分との各々に形成されている。形成領域３２２において第２辺２２側の端部の領域に形成された複数の第２突起列３３２１は、形成領域３２１において第３辺２３側の端部の領域に形成された複数の第１突起列３３１１を兼ねている。
【００７１】
形成領域３２２に形成された全ての第２突起３３２０の各々は、第１突起３３１０と形状および大きさが同じボスであり、各第２突起３３２０の内周面には、雌ねじが形成されている。各第２突起３３２０の下面は、第１突起３３１０の下面と同じ高さに位置しており、水平である。
【００７２】
（切断工程）
例えばユニットルームの床の幅および長さが、床パン１の幅および長さよりもそれぞれ小さいとき、作業者は、図１に示すように、床パン１の第２部分３２を第２辺２２に沿って切断し、かつ床パン１の第２部分３２を第３辺２３に沿って切断する。すなわち、この場合、床パン１は、形成領域３２１において床パン１の長さ方向の全長に亘って切断され、形成領域３２２において床パン１の幅方向の全長に亘って切断される。この床パン１の切断は、例えば床パン１が施工現場に搬送される前の工場などにおいて、電動丸鋸などの切断機を用いて行われる。
【００７３】
作業者は、第２部分３２を第２辺２２に沿って切断するとき、その切断面が床部２の幅方向Ｄ２において隣り合う第１リブ２６１（図４参照）の間に位置するように第２部分３２を切断する。この場合、図４に示す床部２の形成領域３２１においては、リブ２６のうち、床部２の幅方向Ｄ２に延びた複数の第２リブ２６２のみが切断される。
【００７４】
作業者は、第２部分３２を第３辺２３に沿って切断するとき、その切断面が床部２の長さ方向Ｄ１に隣り合う第２リブ２６２の間に位置するように第２部分３２を切断する。この場合、床部２の形成領域３２２においては、リブ２６のうち、床部２の長さ方向Ｄ１に延びた複数の第１リブ２６１のみが切断される。
【００７５】
上述したように、リブ２６は、第１部分３１に対応する部分の下端部が、第２部分３２に対応する部分よりも下方に突出している。すなわち、第２部分３２に形成されたリブ２６の下方への突出量は、第１部分３１に形成されたリブ２６の下方への突出量よりも小さい。このため、作業者は、第１部分３１を切断する場合と比較して、第２部分３２を容易に切断できる。
【００７６】
上述のように切断された床部２の第４辺２４とは反対側の端部を構成する切断端部と第１辺２１とは反対側の端部を構成する切断端部には、図６および図７に示すように、２つの壁載部材８１，８２がそれぞれ取り付けられる。この２つの壁載部材８１，８２の床パン１への取り付けは、例えば床パン１が施工現場に搬送される前の工場などにおいて行われる。
【００７７】
以下、床パンユニット７について詳述する。なお、以下では、必要に応じて、上述の切断により形成された床パン１を切断後の床パン１といい、上述の切断を行う前の床パン１を原型の床パン１という。
【００７８】
床パンユニット７は、切断後の床パン１と、２つの壁載部材８１，８２とを具備している。
【００７９】
原型の床パン１は、たとえば図１に２点鎖線で示した２本の切断ラインで切断される。切断後の床パン１の床部２のサイズは、原型の床パン１の床部２よりもサイズが小さい。切断後の床パン１の床部２は、第２辺２２（図６参照）と第３辺２３（図７参照）との各々が切断面により構成されている。すなわち、床部２の第２辺２２を構成する端面の全体および第３辺２３を構成する端面の全体は、切断面である。
【００８０】
（壁載部材）
図６および図７に示すように、２つの壁載部材８１，８２は、切断後の床パン１の第２辺２２側の切断端部と第３辺２３側の切断端部とにそれぞれ取り付けられている。２つの壁載部材８１，８２の各々は、例えば合成樹脂から形成される。
【００８１】
以下必要に応じて、壁載部材８１，８２のうち、切断後の床パン１の第２辺２２側の端部に取り付けられる一方の壁載部材８１を第１壁載部材８１といい、切断後の床パン１の第３辺２３側の端部に取り付けられる他方の壁載部材８２を第２壁載部材８２という。
【００８２】
図６に示す第１壁載部材８１は、床部２の第２辺２２に沿って延びており、第２辺２２の全長に亘っている。第１壁載部材８１は、床部２の第２辺２２側の切断端部において、床部２の長さ方向Ｄ１に並んだ複数の第１突起３３１０に取り付けられる。なお、第１壁載部材８１が取り付けられる複数の第１突起３３１０は、形成領域３２１において最も第２辺２２に近い位置にある第１突起３３１０である。
【００８３】
第１壁載部材８１は、例えば押出成形品を加工することで製造される。第１壁載部材８１は、横板部８１０と、第１縦板部８１１と、第２縦板部８１２とを備えている。横板部８１０は、複数の第１突起３３１０の下面と平行な板状である。第１縦板部８１１は、横板部８１０の幅方向の中間部から上方に向かって突出している。第２縦板部８１２は、横板部８１０の浴室外側の端部から上方に向かって突出している。
【００８４】
横板部８１０において第１縦板部８１１よりも浴室内側に位置する部分は、床パン１の第１取付部３３１に取り付けられる被取付部８１３を構成している。被取付部８１３には、第１壁載部材８１の長さ方向に並んだ複数の皿穴８１４が形成されている。複数の皿穴８１４の各々は、被取付部８１３を上下方向に貫通している。
【００８５】
被取付部８１３は、複数の固着具９１により第１取付部３３１に取り付けられている。以下、複数の固着具９１の各々を第１固着具９１という。本実施形態の複数の第１固着具９１の各々は、ねじであり、詳しくは皿頭である。
【００８６】
被取付部８１３には、複数の皿穴８１４を通して複数の第１固着具９１が上下方向に挿通されている。これら複数の第１固着具９１は、複数の第１突起３３１０の雌ねじにそれぞれねじ込まれている。これにより、被取付部８１３は、被取付部８１３の上面が複数の第１突起３３１０の下面に接した状態で、床パン１に取り付けられている。
【００８７】
横板部８１０において被取付部８１３以外の部分（すなわち、第１縦板部８１１の浴室内側の面よりも浴室外側に位置する部分）は、壁パネル６が載せられる壁載置部８１５を構成している。
【００８８】
第１縦板部８１１は、床部２の第２辺２２側の切断端面に沿っている。すなわち、本実施形態の第１縦板部８１１は、壁載置部８１５から上方に突出し、平面視において、床部２の第２辺２２側の切断端面に沿って配置される突出部を構成している。
【００８９】
壁載置部８１５は被取付部８１３に一体に繋がっており、平面視で床部２よりも浴室外側に向かって突出している。
【００９０】
第１縦板部８１１および第２縦板部８１２は、横板部８１０に対して垂直な板状である。第１縦板部８１１は、第２縦板部８１２よりも背が高く、第１縦板部８１１の上端部は第２縦板部８１２よりも上方に突出している。本実施形態の第１縦板部８１１の上端部は、床部２の第２辺２２側の切断端部に接着剤９７を介して接着されている。
【００９１】
第１壁載部材８１には、上方に開口した溝部８１６が形成されている。溝部８１６は、第１縦板部８１１と、壁載置部８１５と、第２縦板部８１２とで構成されている。第１壁載部材８１の溝部８１６は、壁置部４の溝部４６（図３参照）と大きさおよび形状が略同じである。
【００９２】
第１縦板部８１１の上端面は、床部２の対応する切断端面の上縁よりも低く、床部２の対応する切断端面の下縁よりも高い。すなわち、第１縦板部８１１の上端面は、床部２の対応する切断端面と同じ高さに位置している。第１縦板部８１１の上端面は、床部２の第１辺２１（図１参照）に向かって下り傾斜している。第１縦板部８１１の上端面は、床部２の第２辺２２側の切断端面の上縁と平行であり、第１縦板部８１１の厚み方向に見て一直線状である。
【００９３】
図１に示すように、原型の床パン１の第２部分３２の上面は、全体が第３辺２３から第１辺２１に向かって一方向に下り傾斜している。このため、原型の床パン１の第２部分３２が第２辺２２に沿って切断された場合、床部２の第２辺２２側の切断端面の上縁は、一直線状になる。したがって、第１壁載部材８１は、床部２の第２辺２２側の切断端面の上縁が平行にする場合に、第１縦板部８１１の上端面が第１縦板部８１１の厚み方向に見て一直線状となる単純な形状にできる。
【００９４】
図７に示す第２壁載部材８２は、床部２の第３辺２３に沿って延びており、第３辺２３の全長に亘っている。第２壁載部材８２は、床部２の第３辺２３側の切断端部において、床部２の幅方向Ｄ２に並んだ複数の第２突起３３２０に取り付けられる。なお、第２壁載部材８２が取り付けられる複数の第２突起３３２０は、形成領域３２２において最も第３辺２３に近い位置にある第２突起３３２０である。
【００９５】
第２壁載部材８２は、第１壁載部材８１と共通の構成を有する。このため、以下では、第２壁載部材８２において、第１壁載部材８１の各構成に対応する構成については、同一の名称を用いて重複する説明は省略する。
【００９６】
第２壁載部材８２は、第２壁載部材８２の長さ方向に亘って断面形状が同じであり、例えば押出成形により製造される。第２壁載部材８２の被取付部８２３は、第１壁載部材８１の被取付部８１３と同様に、複数の第１固着具９１によって複数の第２突起３３２０にそれぞれ取り付けられる。また、第２壁載部材８２の第１縦板部８２１の上端部は、床部２の第３辺２３側の切断端部に接着剤９７を介して接着されている。
【００９７】
第２壁載部材８２の第１縦板部８２１の上端面は、水平である。図１に示すように、原型の床パン１の第２部分３２の上面は、全体が第３辺２３から第１辺２１に向かって一方向に下り傾斜しており、床部２の幅方向Ｄ２においては傾斜していない。このため、床部２の第３辺２３側の切断端面の上縁は、一直線状になる。したがって、第２壁載部材８２は、床部２の第３辺２３側の切断端面の上縁と平行にする場合に、第１縦板部８２１の上端面が第１縦板部８２１の厚み方向に見て一直線状となる単純な形状にすることができる。
【００９８】
（床パンユニットの施工）
床パンユニット７が設置される架台５Ａは、切断後の床パン１を設置できるように、架台５よりもサイズが小さい。なお、架台５Ａは、上述した架台５と共通の構成を有する。このため、以下では架台５Ａにおいて、架台５の各構成に対応する構成については、架台５の対応する構成に付記した符号の末尾に「Ａ」を追加した符号を付記し、重複する説明は省略する。
【００９９】
床パンユニット７の各壁置部４の横片部４２（図３参照）、および各壁載部材８１，８２の横板部８１０，８２０は、架台５Ａの支持フレーム５０Ａの上面に載せられる。
【０１００】
支持フレーム５０Ａに載せられた各壁置部４の横片部４２は、原型の床パン１の横片部４２と同様に、支持フレーム５０Ａに載せられて、固着具９３により支持フレーム５０Ａに取り付けられる。
【０１０１】
図６および図７に示すように、各壁載部材８１，８２の壁載置部８１５，８２５には、複数の皿穴８１７，８２７が形成されている。支持フレーム５０Ａに載せられた各横板部８１０，８２０は、複数の固着具９２により支持フレーム５０Ａに取り付けられる。以下、複数の固着具９２の各々を第２固着具９２という。
【０１０２】
本実施形態の各第２固着具９２は、ねじであり、詳しくは皿頭ねじである。支持フレーム５０Ａに載せられた各壁載部材８１，８２の壁載置部８１５，８２５には、複数の皿穴８１７，８２７を通して複数の第２固着具９２が上方から挿通される。各壁載部材８１，８２の壁載置部８１５，８２５に上下に挿通された複数の第２固着具９２は、支持フレーム５０Ａにねじ込まれる。これにより、床パンユニット７は架台５Ａに取り付けられる。
【０１０３】
本実施形態の床パンユニット７は、上述したように、床パン１の端部に取り付けられた壁載部材８１，８２が架台５Ａに取り付けられる。このため、床パン１の端部は、壁載部材８１，８２を介して架台５Ａに強固に固定され、床パン１の端部の変形が抑制される。
【０１０４】
（壁パネルの施工）
床パンユニット７の各壁置部４（図３参照）には、原型の床パン１の壁置部４に壁パネル６が載せられる場合と同様に壁パネル６が載せられる。床パンユニット７の各壁載部材８１，８２には、以下のように壁パネル６が載せられる。
【０１０５】
図６および図７に示すように、各壁載部材８１，８２の溝部８１６，８２６には、対応する壁パネル６の表面板６０の下端部が嵌め込まれる。各壁載部材８１，８２の壁載置部８１５，８２５には、対応する壁パネル６の縁片部６３がパッキン６５を介して載せられる。
【０１０６】
各壁載部材８１，８２の第２縦板部８１２，８２２には、対応する壁パネル６の起立片部６４に取り付けられた掛止具６６が引っ掛けられて支持される。また、各壁載部材８１，８２に載せられた壁パネル６の表面部６２と、床部２の上面とで成す隅部には、シーリング材９５が充填される。各壁載部材８１，８２に載せられた壁パネル６の表面部６２と、床部２との間は、シーリング材９５によって封止される。
【０１０７】
上述したように第１壁載部材８１の第１縦板部８１１の上端面は、床部２の第２部分３２の上面と平行であり、第１縦板部８１１の上端面は、床部２の第２辺２２側の切断端面の上縁に対する相対的な位置が、第１壁載部材８１の長さ方向に亘って一様である。また、第２壁載部材８２の第１縦板部８２１の上端面は、水平であり、第１縦板部８２１の上端面は、床部２の第３辺２３側の切断端面の上縁に対する相対的な位置が、第２壁載部材８２の長さ方向に亘って一様である。つまり、床パンユニット７において、第１壁載部材８１が設けられた部分の断面形状は、第１壁載部材８１の長さ方向に亘って略同じになり、第２壁載部材８２が設けられた部分の断面形状は、第２壁載部材８２の長さ方向に亘って略同じになる。したがって、上述したシーリング材９５による防水処理は、作業者の技術や経験によらず適切に行われやすい。
【０１０８】
（変形例）
以下、上記実施形態の変形例１〜３について説明する。なお、以下の変形例１〜３の説明では、上記実施形態に対応する構成には、上記実施形態と同じ符号を付し、重複する説明は省略する。
【０１０９】
（変形例１）
図８Ａに示す本変形例の原型の床パン１の床部２は、第１辺２１よりも第２辺２２が短い。排水口２０は、床部２の第１辺２１側の端部において、床部２の長さ方向Ｄ１における中間部に位置している。
【０１１０】
床部２の第１部分３１は、第１辺２１の中間部を含んだ平面視矩形状の部分である。床部２の第２部分３２は、第１辺２１の両端部と、第２辺２２の全体と、第３辺２３の全体と、第４辺２４の全体とを含んだ、平面視Ｃ字状（コ字状）の部分である。
【０１１１】
本変形例の床パン１にあっては、作業者は第２部分３２を、第４辺２４に沿って切断できる。なお、本変形例の床パン１も、上記実施形態と同様、第２部分３２を第２辺２２に沿って切断でき、第２部分３２を第３辺２３に沿って切断できる。
【０１１２】
上述のように作業者は第２部分３２を、第４辺２４に沿って切断できる。このため、例えば作業者は、床パン１を第２部分３２において第２辺２２に沿って切断しかつ第４辺２４に沿って切断するときに各々の切断位置を変更することで、サイズが同じでかつ排水口２０の位置が異なる床パン１を製造できる。
【０１１３】
（変形例２）
図８Ｂに示す本変形例の床部２の第１部分３１は、床部２の第１辺２１側の端部にのみ形成されており、第４辺２４から第２辺２２に向かって延びている。第１部分３１の第４辺２４側の端部には、第３辺２３側に向かって延び出た延出部３１０が形成されている。延出部３１０には、排水口２０が形成されている。
【０１１４】
床部２の第２部分３２は、第１辺２１の第２辺２２側の端部と、第２辺２２の全体と、第３辺２３の全体と、第４辺２４の第１辺２１側の端部を除いた部分とを含んでいる。
【０１１５】
本変形例の床パン１にあっては、作業者は第２部分３２を第３辺２３に沿って切断するときに、床部２の第３辺２３から離れた位置を切断したときにも、第３辺２３側の切断端面の上縁が水平になる。
【０１１６】
（変形例３）
図８Ｃに示す本変形例の床パン１の床部２は、第１辺２１よりも第２辺２２が短い。排水口２０は、床部２の第１辺２１側の端部において、床部２の長さ方向Ｄ１における中間部に位置している。
【０１１７】
床部２の第１部分３１は、第１辺２１側の端部にのみ形成されている。第１部分３１は、第１辺２１の中間部を含んでおり、第１辺２１の長さ方向に延びている。第１部分３１の長さ方向の中間部には、第３辺２３側に向かって延び出た延出部３１０が形成されている。延出部３１０には、排水口２０が形成されている。
【０１１８】
床部２の第２部分３２は、第１辺２１の両端部と、第２辺２２の全体と、第３辺２３の全体と第４辺２４の全体とを含んでいる。
【０１１９】
本変形例の床パン１にあっては、作業者は、第２部分３２を第４辺２４に沿って切断できる。なお、本変形例の床パン１も、上記実施形態と同様、第２部分３２を第２辺２２に沿って切断することが可能であり、第２部分３２を第３辺２３に沿って切断することが可能である。
【０１２０】
上述のように作業者は第２部分３２を、第４辺２４に沿って切断できる。このため、例えば作業者が床パン１を第２部分３２において第２辺２２に沿って切断しかつ第４辺２４に沿って切断するときにおいて、各々の切断位置を変更することで、サイズが同じでかつ排水口２０の位置が異なる床パン１を製造できる。
【０１２１】
（補足）
上記実施形態の第１壁載部材８１および第２壁載部材８２のそれぞれの第１縦板部８１１，８２１の上端面は、床部２の対応する切断端面と同じ高さに位置している。しかし、第１壁載部材８１および第２壁載部材８２のそれぞれの第１縦板部８１１，８２１の上端面は、床部２の対応する切断端面よりも上方に位置してもよいし、床部２の対応する切断端面よりも下方に位置してもよい。また、第１壁載部材８１および第２壁載部材８２のそれぞれの第１縦板部８１１，８２１の上端面は、床部２の対応する切断端面の上縁と同じ高さに位置してもよい。
【０１２２】
上記実施形態の各第１突起３３１０および各第２突起３３２０には、雌ねじが形成されなくてもよい。この場合、各第１突起３３１０および各第２突起３３２０にねじ込まれる第１固着具９１としては、例えばタッピングねじが用いられる。
【０１２３】
上記実施形態の床部２は、第１辺２１よりも第２辺２２が長い平面視長方形状であるが、第１辺２１よりも第２辺２２が短い平面視長方形状であってもよい。また、床部２は、平面視正方形状であってもよい。
【０１２４】
上記実施形態の床パン１は、床部２の全体が第１部分３１と第２部分３２とで構成されているが、床部２の一部のみが、第１部分３１と第２部分３２とで構成されてもよい。
【０１２５】
上記実施形態の取付部３３は、第１取付部３３１と第２取付部３３２とのうちの一方のみを有してもよい。すなわち、取付部３３は、第１取付部３３１と第２取付部３３２とのうちの少なくとも一方を有していればよい。
【０１２６】
また、床パンユニット７の床パン１は、第２部分３２において床部２の長さ方向Ｄ１にのみ切断された床パン１であってもよいし、第２部分３２において床部２の幅方向Ｄ２にのみ切断された床パン１であってもよい。床パン１が第２部分３２において床パン１の長さ方向Ｄ１にのみ切断された床パン１である場合、床パン１には第１壁載部材８１と第２壁載部材８２のうち、第１壁載部材８１のみが取り付けられることとなる。また、床パン１が第２部分３２において床部２の幅方向Ｄ２にのみ切断された床パン１である場合、床パン１には第１壁載部材８１と第２壁載部材８２のうち、第２壁載部材８２のみが取り付けられることとなる。
【０１２７】
また、この他、本実施形態の床パン１は適宜設計変更可能である。
【０１２８】
（効果）
以下、上述した実施形態に示した床パン１および床パンユニット７の構成および効果について説明する。
【０１２９】
第１の態様の床パン１は、以下の構成を有する。床パン１は、床部２と壁置部４とを具備する。床部２は、平面視矩形状である。壁置部４は、床部２の４辺２１〜２４の各々に形成されており、壁パネル６が載せられる部分である。床部２は、４辺２１〜２４として、第１辺２１と、第１辺２１に垂直な第２辺２２と、第１辺２１に対向した第３辺２３と、第２辺２２に対向した第４辺２４とを備える。床部２の第１辺２１側の端部に排水口２０が形成される。床部２は、床部２の第１辺２１側の端部を含む第１部分３１と、第２辺２２の全長と第３辺の全長とを含む切断可能な第２部分３２とを備える。第１部分３１の上面は、第１部分３１上の水が排水口２０に向かって流下するように傾斜し、かつ水平位置に応じて傾斜方向が変化する。第２部分３２の上面の全体は、第３辺２３から第１辺２１に向かって一方向に下り傾斜する。
【０１３０】
上述した構成を有する第１の態様の床パン１によれば、作業者は、床パン１を第２部分３２において第２辺２２に沿って切断し、かつ第２部分３２において第３辺２３に沿って切断でき、床パン１をサイズ変更して利用するときの自由度が高い。また、第２部分３２の上面の全体は、第３辺２３から第１辺２１に向かって一方向に下り傾斜している。このため、上述のように床パン１が切断されると、床部２の第４辺２４とは反対側の切断端面の上縁、および床部２の第１辺２１とは反対側の切断端面の上縁の各々は、全長に亘って一直線状となる。このため、例えば床部２の第４辺２４とは反対側の切断端部、および床部２の第１辺２１とは反対側の切断端部の各々に、当該切断端部の形状に合うように形成された壁載部材８１，８２などの部材を取り付ける場合に、これら部材の形状が複雑になり難い。
【０１３１】
第２の態様の床パン１は、第１の態様の床パン１において以下の付加的な構成を有する。第２部分３２は、第２部分３２の下面に形成された取付部３３を有する。取付部３３は、壁パネル６が載せられる壁載部材８１，８２を取り付け可能に構成される。
【０１３２】
上述した構成を有する第２の態様の床パン１によれば、作業者は、第２部分３２において切断された床パン１の取付部３３に、壁パネル６が載せられる壁載部材８１，８２を取り付けることができる。
【０１３３】
第３の態様の床パン１は、第２の態様の床パン１において以下の付加的な構成を有する。取付部３３は、第１取付部３３１と、第２取付部３３２とのうちの少なくとも一方を有する。第１取付部３３１は、第２部分３２において第２辺２２に対応する部分の下面に形成される。第１取付部３３１は、第１辺２１の長さ方向に間隔を介して設けられた複数の第１突起３３１０を含む。第２取付部３３２は、第２部分３２において第３辺２３に対応する部分の下面に形成される。第２取付部３３２は、第２辺２２の長さ方向に間隔を介して設けられた複数の第２突起３３２０を含む。
【０１３４】
上述した構成を有する第３の態様の床パン１によれば、作業者は、第２部分３２を第２辺２２に沿って切断したときに、第２辺２２から切断位置までの距離に応じて選択された第１突起３３１０に壁載部材８１を取り付けることができる。あるいは、作業者は、第２部分３２を第３辺２３に沿って切断したときに、第３辺２３から切断位置までの距離に応じて選択された第２突起３３２０に壁載部材８２を取り付けることができる。
【０１３５】
第４の態様の床パンユニット７は、以下の構成を有する。床パンユニット７は、平面視矩形状の床パン１と、床パン１の４辺のうちの２辺にそれぞれ取り付けられ、壁パネル６が載せられる２つの壁載部材８１，８２とを具備する。床パン１は、平面視矩形状の床部２を具備する。床部２は、４辺として、第１辺２１と、第１辺２１に垂直な第２辺２２と、第１辺２１に対向した第３辺２３と、第２辺２２に対向した第４辺２４とを備える。床部２の第１辺２１側の端部に排水口２０が形成される。床部２は、床部２の第１辺２１側の端部を含む第１部分３１と、前記第２辺２２の全長と前記第３辺の全長とを含む第２部分３２とを備える。第１部分３１の上面は、第１部分３１上の水が排水口２０に向かって流下するように傾斜し、かつ水平位置に応じて傾斜方向が変化する。第２部分３２の上面の全体は、第３辺２３から第１辺２１に向かって一方向に下り傾斜する。床パン１は、床部２の第１辺２１および第４辺２４の各々に一体に形成され、壁パネル６が載せられる壁置部４をさらに具備する。床部２の第２辺２２を構成する端面の全体および床部２の第３辺２３を構成する端面の全体の各々は、切断面である。２つの壁載部材８１，８２は、床部２の第２辺２２側の端部および第３辺２３側の端部にそれぞれ取り付けられる。
【０１３６】
上述した構成を有する第４の態様の床パンユニット７によれば、床部２の第２辺２２側の切断端面の上縁、および床部２の第３辺２３側の切断端面の上縁の各々は、全長に亘って一直線状となる。このため、例えば床部２の第２辺２２側の切断端部、および床部２の第３辺２３側の切断端部の各々に、当該切断端部の形状に合うように形成された壁載部材８１，８２を取り付ける場合に、壁載部材８１，８２の形状が複雑になり難い。
【符号の説明】
【０１３７】
１  床パン
２  床部
２０  排水口
２１  第１辺
２２  第２辺
２３  第３辺
２４  第４辺
３１  第１部分
３２  第２部分
３３  取付部
３３１  第１取付部
３３１０  第１突起
３３２  第２取付部
３３２０  第２突起
４  壁置部
６  壁パネル
７  床パンユニット
８１  第１壁載部材
８２  第２壁載部材
【図１】
2017172241.tif 000003
【図２】
2017172241.tif 000004
【図３】
2017172241.tif 000005
【図４】
2017172241.tif 000006
【図５】
2017172241.tif 000007
【図６】
2017172241.tif 000008
【図７】
2017172241.tif 000009
【図８】
2017172241.tif 000010